(57)【要約】  【課題】使用者個々の顔面形状の違いに関係なく顔面の凹凸に沿って容易に貼着できるようにする。  【解決手段】左右のシート２，３を中央側の額側接合縁４、眉間側接合縁５、鼻梁側接合縁６、人中側接合縁７、顎側接合縁８の各接合縁４〜８で重ね合わせて接合して、その接合縁４〜８を中心としてシート２，３を左右に広げたときに立体形状となる。貼着時に顔面に沿い難い部分の接合縁４，５，８の途中には、伸縮可能な１又は複数の非接合部１１〜１３が配置されている。非接合部１１〜１３にはスリット状又は外側に開放するＶ字状の切り込み部２２〜２４が設けられている。【選択図】図１
2017205263.tif 000002
【特許請求の範囲】
【請求項１】
左右のシートを中央側の接合縁で重ね合わせて接合して、前記接合縁を中心として前記シートを左右に広げたときに立体形状となるようにしたパック用フェイスマスクにおいて、
貼着時に顔面に沿い難い部分の前記接合縁の途中に１又は複数の非接合部を配置した
ことを特徴とするパック用フェイスマスク。
【請求項２】
前記非接合部に切り込み部を設けた
ことを特徴とする請求項１に記載のパック用フェイスマスク。
【請求項３】
前記切り込み部はスリット状又は外側に開放するＶ字状である
ことを特徴とする請求項２に記載のパック用フェイスマスク。
【請求項４】
前記シートを接合する額側接合縁、眉間側接合縁、鼻梁側接合縁、人中側接合縁、顎側接合縁の内、少なくとも前記額側接合縁、前記眉間側接合縁、前記顎側接合縁の途中に前記非接合部を配置した
ことを特徴とする請求項１〜３の何れかに記載のパック用フェイスマスク。
【請求項５】
前記各シートは上下方向の引っ張り強度が左右方向よりも大であり、左右方向の伸びが上下方向よりも大である
ことを特徴とする請求項１〜４の何れかに記載のパック用フェイスマスク。
【発明の詳細な説明】
【技術分野】
【０００１】
本発明は、パック用フェイスマスクに関するものである。
【背景技術】
【０００２】
保湿液等の美容液を含浸した状態で顔面に貼付して使用するパック用フェイスマスクには、１枚の平面状のシート材により構成された平面式の他に、顔面の左側、右側に夫々対応する左右のシートを顔面の中央側の接合縁で重ね合わせて接合して、接合縁を中心として各シートを左右に広げたときに立体形状となるように構成された立体式のものがある（特許文献１）。
【０００３】
この立体式のフェイスマスクは、重ね合わせた状態の左右のシートを額側接合縁、眉間側接合縁、鼻梁側接合縁、人中側接合縁及び顎側接合縁の各接合縁で接合して構成され、その鼻梁側接合縁と人中側接合縁との間に鼻用開口部が、人中側接合縁と顎側接合縁との間に口用開口部が夫々設けられている。
【先行技術文献】
【特許文献】
【０００４】
【特許文献１】特開２０１４−８７７１３号公報
【発明の概要】
【発明が解決しようとする課題】
【０００５】
人によって額の広狭があり、鼻梁の高低があるなど、フェイスマスクを使用する使用者にも、個々の顔面形状には大きな違いがある。しかし、従来のフェイスマスクは、シートを左右に広げたときの立体形状が接合縁側の形状によって決まるため、その立体形状が略一定となり、使用者の顔面形状の違いに柔軟に対応し難いという問題がある。
【０００６】
即ち、従来の立体式のフェイスマスクは接合縁が伸縮不能であるため、広げた状態のフェイスマスクを顔面に載せた後に、顔面に沿わせるべくシートの端部を左右方向の外側へと引っ張ったり、接合縁側を前から顔面側へと押えたりしても、その接合縁側が障害となって顔面に隙間なく貼着することができなかった。
【０００７】
本発明は、このような従来の問題点に鑑み、使用者個々の顔面形状の違いに関係なく顔面の凹凸に沿って容易に貼着できるパック用フェイスマスクを提供することを目的とする。
【課題を解決するための手段】
【０００８】
本発明は、左右のシートを中央側の接合縁で重ね合わせて接合して、前記接合縁を中心として前記シートを左右に広げたときに立体形状となるようにしたパック用フェイスマスクにおいて、貼着時に顔面に沿い難い部分の前記接合縁の途中に１又は複数の非接合部を配置したものである。
【０００９】
前記非接合部に切り込み部を設けてもよい。前記切り込み部はスリット状又は外側に開放するＶ字状であってもよい。前記シートを接合する額側接合縁、眉間側接合縁、鼻梁側接合縁、人中側接合縁、顎側接合縁の内、少なくとも前記額側接合縁、前記眉間側接合縁、前記顎側接合縁の途中に前記非接合部を配置してもよい。前記各シートは上下方向の引っ張り強度が左右方向よりも大であり、左右方向の伸びが上下方向よりも大であってもよい。
【発明の効果】
【００１０】
本発明によれば、使用者個々の顔面形状の違いに関係なく顔面の凹凸に沿って容易に貼着できる利点がある。
【図面の簡単な説明】
【００１１】
【図１】本発明の第１の実施形態を示すフェイスマスクの断面図である。
【図２】同フェイスマスクの正面図である。
【図３】同フェイスマスクの使用状態の説明図である。
【図４】同フェイスマスクの貼着過程の説明図である。
【図５】同フェイスマスクの貼着過程の説明図である。
【図６】本発明の第２の実施形態を示すフェイスマスクの断面図である。
【図７】本発明の第３の実施形態を示すフェイスマスクの断面図である。
【図８】本発明の第４の実施形態を示すフェイスマスクの断面図である。
【図９】本発明の第５の実施形態を示すフェイスマスクの断面図である。
【図１０】本発明の第６の実施形態を示すフェイスマスクの断面図である。
【図１１】本発明の第７の実施形態を示すフェイスマスクの断面図である。
【図１２】同フェイスマスクの正面図である。
【発明を実施するための形態】
【００１２】
以下、本発明の各実施形態を図面に基づいて詳述する。
【００１３】
図１〜図５は本発明のパック用のフェイスマスク１の第１の実施形態を例示する。このフェイスマスク１は、図１〜図３に示すように、左右一対のシート２，３を重ね合わせた状態で顔面の中央側に対応する接合縁４〜８で接合して構成され、接合縁４〜８を中心として各シート２，３を左右に広げたときに、三次元の立体形状を呈するように構成されている。
【００１４】
各シート２，３は顔面の左側の略半分、右側の略半分に夫々対応する形状であって、接合縁４〜８側を中心に略左右に対称であり、不織布製シート材、パルプ製シート材等の平面的なシート材が使用されている。この各シート２，３は上下方向の引っ張り強度が左右方向の引っ張り強度よりも大であり、左右方向の伸びが上下方向の伸びよりも大になっている。
【００１５】
接合縁４〜８は鼻用開口部９、口用開口部１０以外の領域に設けられており、その接合縁４〜８の内、貼着時に顔面に沿い難い部分の接合縁４，５，８の途中には、上下方向に伸縮性を有する非接合部１１〜１３が上下方向に１又は複数配置されている。なお、非接合部１１〜１３は、鼻用開口部９、口用開口部１０以外の領域に設けられている。
【００１６】
フェイスマスク１は顔面の額側を覆う額側覆い部１４と、この額側覆い部１４の下側の左右中央に配置されて顔面の眉間側を覆う眉間側覆い部１５と、額側覆い部１４の下側で眉間側覆い部１５の左右両側に配置されて顔面の目側周辺を覆う目側覆い部１６と、眉間側覆い部１５の下側の左右中央に配置されて顔面の鼻梁側を覆う鼻梁側覆い部１７と、鼻梁側覆い部１７の下側の左右中央に配置されて顔面の人中側を覆う人中側覆い部１８と、鼻梁側覆い部１７及び人中側覆い部１８の左右両側に配置されて顔面の頬側を覆う頬側覆い部１９と、人中側覆い部１８及び頬側覆い部１９の下側に配置されて顔面の顎側の周辺を覆う顎側覆い部２０とを有する。
【００１７】
両シート２，３を顔面の左右略中央で接合する接合縁４〜８には、額側覆い部１４の額側接合縁４と、眉間側覆い部１５の眉間側接合縁５と、鼻梁側覆い部１７の鼻梁側接合縁６と、人中側覆い部１８の人中側接合縁７と、顎側覆い部２０の顎側接合縁８とがある。鼻梁側覆い部１７と人中側覆い部１８との間に鼻用開口部９が、人中側覆い部１８と顎側覆い部２０との間に口用開口部１０が夫々設けられている。目側覆い部１６には目用開口部２１が形成されている。
【００１８】
なお、左右の各シート２，３の外周側は、顔面の額上部側からこめかみ側、頬外周側、耳側及び顎外周側に沿う形状に形成されている。
【００１９】
非接合部１１〜１３には額側覆い部１４の額側非接合部１１と、眉間側覆い部１５の眉間側非接合部１２と、顎側覆い部２０の顎側非接合部１３とがある。即ち、縁額側覆い部１４には顔面の額の形状に応じて額側接合縁４側の上下方向の湾曲度等を適宜調整できるように上下方向に複数（例えば２箇所）の額側非接合部１１が設けられている。
【００２０】
眉間側覆い部１５には、額側覆い部１４と鼻梁側覆い部１７との相対角度を適宜調整できるように眉間側接合縁５の上下方向の中間に眉間側非接合部１２が設けられている。顎側覆い部２０には顔面の顎の形状に応じて顎側接合縁８側の上下方向の湾曲度等を適宜調整できるように顎先部分に対応して上下方向に複数（例えば３箇所）の顎側非接合部１３が設けられている。
【００２１】
各非接合部１１〜１３は各シート２，３を接合していない部分であって、接合縁４，５，８側から各シート２，３へと形成された切り込み部２２〜２４により構成されている。切り込み部２２〜２４は前側が上下方向に拡がるＶ字状に形成されている。そのため各非接合部１１〜１３は上下方向の外力が加わったときに、切り込み部２２〜２４のＶ字形状が上下に開閉することにより上下方向に伸縮可能である。
【００２２】
従って、額側覆い部１４、眉間側覆い部１５、顎側覆い部２０は、各シート２，３の端部を左右方向の外側へと引っ張って額側接合縁４、眉間側接合縁５、顎側接合縁８が顔面側に接近する方向に外力が加わったときに、各非接合部１１〜１３が上下方向に伸縮するため、非接合部１１〜１３の上下両側の各接合縁４，５，８間の間隔が拡縮して、各接合縁４，５，８側の側面視の湾曲形状を顔面の凹凸形状に沿って容易に変化させることができる。
【００２３】
目用開口部２１は下向きに横長コ字状の切り込みを形成して形成されており、この目用開口部２１の目頭側及び目尻側に直スリット状の切り込み部２１ａが設けられている。また各シート２，３にはこめかみ側、耳側の外周側にも切り込み部２５，２６が設けられている。なお、このフェイスマスク１は、各シート２，３を含む全体に保湿液等の美容液が含浸されている。
【００２４】
このフェイスマスク１は通常、平面状の左右のシート２，３が重なった状態にある。フェイスマスク１の使用に際しては、先ず各シート２，３の接合縁４〜８と反対側の端縁を摘んで左右方向の外側へと引っ張り、各シート２，３を接合縁４〜８を中心として左右に広げて行く。
【００２５】
すると各シート２，３の端縁側が左右に広がるに伴って額側覆い部１４の上側及び顎側覆い部２０の下側が後方へと湾曲する等により、中央の接合縁４〜８側で接合された状態の各シート２，３が変形して、全体として三次元の立体状に展開することができる。
【００２６】
そして、フェイスマスク１が立体状になれば、目用開口部２１が目に、鼻用開口部９が鼻に、口用開口部１０が口に夫々対応するようにフェイスマスク１を顔面上に載せた後、各シート２，３の外端側を上下方向に位置を変えながら左右方向の外側へと引っ張り、また必要に応じて各シート２，３の所要部分を前から顔面側へと押えながら、フェイスマスク１を図３に示すように顔面に沿って隙間なく貼着する。
【００２７】
しかし、フェイスマスク１は左右のシート２，３を重ね合わせて各接合縁４〜８で接合して、広げたときに所定の立体形状を呈するようにしている。そのためフェイスマスク１を顔面の所定位置に載せたときには、例えば図４（ａ）（ｂ）に額側覆い部１４と顔面の額との間の隙間２７を示すように、フェイスマスク１と顔面との間には各部で隙間ができる。
【００２８】
そこで、額側覆い部１４と顔面の額との間の隙間２７の場合であれば、図４（ａ）（ｂ）に示すようにフェイスマスク１を顔面上に載せた後に、額側覆い部１４側の各シート２，３の外周縁側を左右方向の外側にｓ矢示方向に引っ張り、両シート２，３間の額側接合縁４を額側に接近させて行く。
【００２９】
すると、額側接合縁４の途中には、上下２箇所にＶ字状の切り込み部２２により構成された非接合部１１があるため、左右の各シート２，３をｓ矢示方向に引っ張るに伴って、各非接合部１１に収縮方向（ｔ矢示方向）の外力が加わって上下両側の額側接合縁４間の間隔が狭くなり、額側覆い部１４の額側接合縁４側が顔面の額側へとｕ矢示方向に接近して、図４（ａ）（ｂ）に二点鎖線で示すように、額側接合縁４側の額側覆い部１４を顔面の額部分の形状に沿って無理なく湾曲させることができる。
【００３０】
従って、各シート２，３の左右方向の適度な伸びと相俟って、額側覆い部１４が顔面の額部分の上下方向、左右方向の形状に追随して三次元的に変化して額部分に隙間なく貼着することができる。
【００３１】
なお、逆に図５に示すように、額側覆い部１４の上下両側で顔面の額部分との間に隙間２８ができるような場合にも、各シート２，３の外端側を左右方向の外側へと引っ張ることにより、非接合部１１のＶ字状の切り込み部２２が上下にｖ矢示方向に広がって額側接合縁４を前面の額部分の形状に沿わせることができる。
【００３２】
眉間側覆い部１５にも眉間側接合縁５の途中に、Ｖ字状の切り込み部２２により構成された非接合部１２があるため、各シート２，３の外端側を左右方向に引っ張ることにより、前述と同様にその眉間側覆い部１５を顔面の眉間側の凹凸形状に沿わせることができる。
【００３３】
しかも、この眉間側接合縁５の途中に非接合部１２があることにより、その上下両側の額側覆い部１４と鼻梁側覆い部１７との相対角度が変化し易くなり、個々の使用者で額、鼻梁に高低等の違いがあっても、その額側覆い部１４、鼻梁側覆い部１７を顔面の額、鼻梁の高低に沿って隙間なく貼着することができる。
【００３４】
顎側覆い部２０にも顎側接合縁８の途中に、Ｖ字状の切り込み部２４により構成された非接合部１３が上下方向に複数あるため、各シート２，３の外端側を左右方向に引っ張り、また各シート２，３の顎側接合縁８側を顔面側へと押さえ付けることにより、顎側覆い部２０を顔面の顎部分に隙間なく沿わせることが可能である。
【００３５】
図６は本発明の第２の実施形態を例示する。このフェイスマスク１は、額側接合縁４、眉間側接合縁５、顎側接合縁８の途中に、両シート２，３を重ね合わせたままで接合していない非接合部１１〜１３が設けられ、その各非接合部１１〜１３に細いスリット状の切り込み部２２ａ〜２４ａが形成されている。額側接合縁４の途中にある２個の非接合部１１の内、上側の非接合部１１は下側の非接合部１１よりも上下幅が短くなっている。各非接合部１１〜１３は上下幅を略同じにしてもよいし、周辺の条件に応じて上下幅を異ならせてもよい。なお、目用開口部２１は略楕円状の孔になっている。他の構成は第１の実施形態と同様である。
【００３６】
この実施形態に例示するように非接合部１１〜１３は、両シート２，３の端縁を重ね合わせたままで接合しない構造とすることも可能である。この場合にも、非接合部１１〜１３がスリット状の切り込み部２２ａ〜２４ａを有するため、その切り込み部２２ａ〜２４ａによって非接合部１１〜１３が容易に上下方向に伸縮できることになり、フェイスマスク１を顔面の凹凸形状に沿って隙間なく貼着することができる。
【００３７】
また非接合部１１〜１３は両シート２，３の端縁を重ね合わせたままで接合しない構造とし、その非接合部１１〜１３にスリット状の切り込み部２２ａ〜２４ａを設けて上下方向の伸縮性を確保しているため、切り込み部２２ａ〜２４ａをＶ字状とする第１の実施形態の場合に比較して、美容液の含浸量の減少を極力少なくすることができる。
【００３８】
図７は本発明の第３の実施形態を例示する。このフェイスマスク１は、Ｖ字状の切り込み部２２，２３による非接合部１１，１２と、両シート２，３を重ね合わせたままで接合していない構造の非接合部１１，１３とを併用したものである。即ち、額側覆い部１４の下側と眉間側覆い部１５に、Ｖ字状の切り込み部２２，２３による非接合部１１，１２が設けられ、額側覆い部１４の上側と顎側覆い部２０に、切り込み部２２ａ，２４ａによる非接合部１１，１３が設けられている。他の構成は各実施形態と同様である。
【００３９】
このように種類の異なる複数の非接合部１１〜１３を組み合わせてもよい。
【００４０】
図８は本発明の第４の実施形態を例示する。このフェイスマスク１は、額側覆い部１４の上端側から眉間側覆い部１５、鼻梁側覆い部１７、人中側覆い部１８を経て顎側覆い部２０の下端側の範囲に、両シート２，３を重ね合わせて接合する接合縁２９と、両シート２，３を重ね合わせたままで接合しない非接合部３０とが交互に設けられ、その非接合部３０にミシン目、ハーフカット等の破断部３１が設けられている。なお、鼻梁側覆い部１７、人中側覆い部１８の破断部は省略してもよい。
【００４１】
接合縁２９は帯状の接合部により構成してもよいし、所定の面積を有する点状、その他の接合部により構成してもよい。破断部３１は各シート２，３を外側に引っ張ったときに破断して、非接合部３０の上下方向の伸縮を許容するようになっている。他の構成は各実施形態と同様である。
【００４２】
この場合には、フェイスマスク１を顔面に載せて両シート２，３を外側に引っ張ったときに、その引っ張り側に対応する破断部３１が破断して、その部分の非接合部３０側が上下方向に伸縮するため、フェイスマスク１を顔面に沿って隙間なく貼着することができる。
【００４３】
図９は本発明の第５の実施形態を例示する。このフェイスマスク１は、額側覆い部１４から眉間側覆い部１５を経て鼻梁側覆い部１７側の上下方向の全体に額側接合縁４、眉間側接合縁５及び鼻梁側接合縁６が連続状に設けられ、顎側覆い部２０の上下方向の全体に顎側接合縁８が連続状に設けられている。額側接合縁４、眉間側接合縁５、鼻梁側接合縁６、顎側接合縁８には、上下方向に所定の間隔をおいてミシン目、ハーフカット等により形成されたＶ字状、スリット状その他の破断部３２が設けられている。
【００４４】
この場合には、各シート２，３を外側に引っ張ったときに破断部３２が破断することにより、額側接合縁４、眉間側接合縁５、鼻梁側接合縁６、顎側接合縁８に非接合部ができ、その非接合部が上下方向の伸縮を許容するようになっている。鼻梁側接合縁６の破断部３２は省略してもよい。他の構成は各実施形態と同様である。
【００４５】
このように接合縁４，５，８に予め破断部３２を設けておき、フェイスマスク１の使用に際して各シート２，３を外側に引っ張ったときに、破断部３２が破断して、その上下両側の接合縁４，５，８間の間隔が上下に広がるか狭まるようにしてもよい。従って、上下の接合縁４，５，８間の非接合部は、フェイスマスク１の使用時にできるようになっておれば十分である。なお、鼻梁側接合縁６の破断部は省略してもよい。
【００４６】
図１０は本発明の第６の実施形態を例示する。このフェイスマスク１は、額側覆い部１４、眉間側覆い部１５等にスリット状の切り込み部２２，２３の内端側に拡縮許容部３３，３４が設けられている。拡縮許容部３３，３４はスリット状の切り込み部２２〜２４に対してＹ字状、Ｔ字状等になるように切り込み状に形成されている。他の構成は各実施形態と同様である。
【００４７】
このようにスリット状の切り込み部２２，２３の内端側に拡縮許容部３３，３４を設けることにより、顔面側の凹凸形状に応じて非接合部１１，１２が上下方向に伸びたり縮んだりすることが可能である。従って、フェイスマスク１を顔面に容易に隙間なく貼着することができる。
【００４８】
図１１、図１２は本発明の第７の実施形態を例示する。このフェイスマスク１は、顎側覆い部２０の上部側に顎側接合縁８が設けられ、その顎側接合縁８の上部側の途中に、上下方向に複数の非接合部１３が設けられている。顎側接合縁８の下部側には、シート２，３を左右に分離して下覆い部３５が設けられている。この左右の下覆い部３５は、フェイスマスク１を顔面に貼着する際に、顎の下側を覆うように重ねて貼着するようになっている。他の構成は各実施形態と同様である。
【００４９】
このように顎側覆い部２０で顎周辺から首の前側近くまでを覆う場合には、顎側覆い部２０の下部に下覆い部３５を設けてもよい。
【００５０】
以上、本発明の各実施形態について詳述したが、本発明はこの各実施形態に限定されるものではなく種々の変更が可能である。例えば各実施形態では、平面的な左右のシート２，３を重ね合わせて接合縁４〜８で接合したフェイスマスク１を例示しているが、各シート２，３の中間部分に複数本のミシン目を設けて、その部分では各シート２，３が顔面の凹凸形状に沿い易くなるようにしてもよい。接合縁４〜８は顔面の中央側で各シート２，３の対向縁同士を接合できるものであればよく、熱溶着、接着、その他の接合手段を適宜採用可能である。
【００５１】
非接合部１１〜１３に切り込み部２２〜２４等を形成する場合、その切り込み部２２〜２４は外側が上下に開放するＶ字状、上下方向の広がりがないか又は広がりの少ない直線等のスリット状等に形成するのが一般的であるが、その他の形状でもよい。また切り込み部２２〜２４の方向は接合縁４〜８に対して略直角方向に設けてもよい。また複数の切り込み部２２〜２４を設ける場合、その各切り込み部２２〜２４は内端側で接近するように設けてもよい。
【００５２】
シート２，３の外周側には、図２に示すように、重ね合わせた状態のシート２，３の端部を容易に摘まみ得るように位置を変えて摘まみ部２ａ，３ａを設けてもよい。このようにすれば、含浸する化粧液等でシート２，３が密着した状態にあっても、両シート２，３を容易に剥がして広げることができる。
【００５３】
このようなフェイスマスク１は、一方向に長い帯状の原反不織布を長手方向に送りながら、原反不織布を幅方向に二つ折り状に折り畳む折り畳み工程、二つ折り状の原反不織布を幅方向の一方側で熱溶着等により接合して接合縁を形成する接合工程、接合後の二つ折り状の原反不織布を所定の形状に裁断する裁断工程、裁断されたフェイスマスク１を取り出す取り出し工程とを経て製造するのが一般的である。
【００５４】
このような製造方法を採用すれば、シート２，３は上下方向の引っ張り強度が左右方向よりも大になり、左右方向の伸びが上下方向よりも大になる。しかし、各シート２，３は左右方向の引っ張り強度が上下方向よりも大になり、上下方向の伸びが左右方向よりも大になるようにしてもよい。また上下方向、左右方向の引っ張り強度、伸びが略同じであってもよい。
【符号の説明】
【００５５】
１  フェイスマスク
２，３  シート
４  額側接合縁
５  眉間側接合縁
６  鼻梁側接合縁
７  人中側接合縁
８  顎側接合縁
１１〜１３  非接合部
１４  額側覆い部
１５  眉間側覆い部
１７  鼻梁側覆い部
１８  人中側覆い部
２０  顎側覆い部
２２〜２４，２２ａ〜２４ａ  切り込み部
【図１】
2017205263.tif 000003
【図２】
2017205263.tif 000004
【図３】
2017205263.tif 000005
【図４】
2017205263.tif 000006
【図５】
2017205263.tif 000007
【図６】
2017205263.tif 000008
【図７】
2017205263.tif 000009
【図８】
2017205263.tif 000010
【図９】
2017205263.tif 000011
【図１０】
2017205263.tif 000012
【図１１】
2017205263.tif 000013
【図１２】
2017205263.tif 000014